(57)【要約】【課題】本発明は、配管作業を非常に容易にすることが出来るとともに、コストダウンを可能とし、更に、逆流や封水破壊の発生を防ぐ排水システムを提供することを課題とする。【解決手段】建物床下に集合ます２を設置し、該集合ます２には一階および二階以上の階の複数の排水設備３Ａ，３Ｂからの屋内排水管５Ａ，５Ｂを接続し、更に該集合ます２からの第１連絡排水管６には屋外排水ます７が接続され、該屋外排水ます７は第２連絡排水管９を介して公共ます１０に接続している排水システム１を提供する。【選択図】    図１
2004211353.tif 000002
【特許請求の範囲】
【請求項１】
建物床下に集合ますを設置し、該集合ますには一階および二階以上の階の複数の排水設備からの屋内排水管を接続し、更に該集合ますからの第１連絡排水管には屋外排水ますが接続され、該屋外排水ますは第２連絡排水管を介して公共ますに接続していることを特徴とする排水システム。
【請求項２】
二階以上の階の複数の排水設備からの屋内排水管は建物壁部に沿って設けられている管専用スペース内に挿通され床下へ導入されている請求項１に記載の排水システム。
【請求項３】
該屋内排水管は可撓管である請求項１または請求項２に記載の排水システム。
【発明の詳細な説明】
【０００１】
【発明の属する技術分野】
本発明は建物内の排水設備からの排水を屋外へ排出する排水システムに関する。
【０００２】
【従来の技術】
従来、図７および図８に示すように、建物内の排水設備（３Ｐ）からの排水を屋外へ排出する排水システム（１Ｐ）として、建物床下に設置した第一の集合ます（２Ｐ）に一階の複数個の排水設備（３Ｐ）からの排水管（４Ｐ）を接続し、二階の複数個の排水設備（３Ｐ）からの排水管（４Ｐ）は二階床下に設置されている第二の集合ます（５Ｐ）に接続し、該第二の集合ます（５Ｐ）から上下接続管（６Ｐ）を差出し、該上下接続管（６Ｐ）は第一の集合ます（２Ｐ）と屋外排水ます（７Ｐ）とを接続する接続排水管（８Ｐ）の途中に接続する排水システム（１Ｐ）が提供されている（特許文献１参照）。
そして、該排水管（４Ｐ）には直管が用いられ、該排水管（４Ｐ）は管継手（１１Ｐ）  を介して集合ます（２Ｐ，５Ｐ）  や排水設備（３Ｐ）に接続されるのが一般であった。
【０００３】
【特許文献１】
特開２００１−３４８９２７号公報（第４−７頁、第３図）
【０００４】
【発明が解決しようとする課題】
しかしながら上記従来の排水システム（１Ｐ）では、図７に示すように、各階ごとに集合ます（２Ｐ，５Ｐ）  を設置する必要があるため、第一の集合ます（２Ｐ）と第二の集合ます（５Ｐ）という二個の集合ます（２Ｐ，５Ｐ）  が必要となり、かつ、接続排水管（８Ｐ）の途中に上下接続管（６Ｐ）を接続する必要があるので、配管が複雑になり配管作業に多大な手間や労力を要するとともに、部品数や工数が増加してコストアップにつながるという問題があった。
また、接続排水管（８Ｐ）の途中に上下接続管（６Ｐ）を接続すると、接続排水管（８Ｐ）と上下接続管（６Ｐ）の接続部分（９Ｐ）において、円滑な水流が阻害されて水圧差が生じやすく、排水の逆流や封水破壊が発生する場合があるという問題があった。
更に、該排水管（４Ｐ）に可撓性のない直管を用いると、配管経路に建物内基礎（１０Ｐ）  などの障害物があり直線的に配管できない場合に、図８に示すように、複数個の直管を管継手（１１Ｐ）  で接続して障害物を避けることとなり、配管作業に多大な手間と労力を要するという問題があった。
また更に、該直管の排水管（４Ｐ）を該管継手（１１Ｐ）  を介して集合ます（２Ｐ，５Ｐ）  や排水設備（３Ｐ）に接続すると、排水管（４Ｐ）内の状態を点検するために排水管（４Ｐ）内に排水設備（３Ｐ）側から点検棒を挿入した場合、管継手（１１Ｐ）  の部分の曲率半径が小さいため、管継手（１１Ｐ）  の部分で点検棒が支えて、点検作業を行なうことが困難となり、排水管（４Ｐ）の維持・管理するのに手間や労力を要することになるという問題があった。また、曲率半径が小さい管継手（１１Ｐ）  の部分において、円滑な水流が阻害されて水圧差が生じやすく、封水破壊が発生するおそれがあるという問題もあった。
【０００５】
【課題を解決するための手段】
本発明は上記従来の課題を解決するための手段として、建物床下に集合ます（２，２３）を設置し、該集合ます（２，２３）には一階および二階以上の階の複数の排水設備（３Ａ，３Ｂ）  からの屋内排水管（５Ａ，５Ｂ）  を接続し、更に該集合ます（２，２３）からの第１連絡排水管（６）  には屋外排水ます（７）  が接続され、該屋外排水ます（７）  は第２連絡排水管（９）  を介して公共ます（１０）に接続している排水システム（１）  を提供するものである。
二階以上の階の複数の排水設備（３Ｂ）からの屋内排水管（５Ｂ）は建物壁部に沿って設けられている管専用スペース（１４）内に挿通され床下へ導入されていることが望ましく、また、該屋内排水管（５Ａ，５Ｂ）  は可撓管であることが望ましい。
【０００６】
【作用】
本発明の排水システム（１）  では、建物床下に設置された一つの集合ます（２，２３）に、他の集合ます等を介することなく、一階および二階以上の階の複数の排水設備（３Ａ，３Ｂ）  からの屋内排水管（５Ａ，５Ｂ）  を直接接続するため、集合ます（２，２３）が一つで済み、かつ、配管がコンパクトになるので、配管作業が非常に容易となるとともに、部品数や工数を減らすことが出来、コストダウンをすることが可能となる。また、接続排水管（８Ｐ）と上下接続管（６Ｐ）との接続部分（９Ｐ）がないため、円滑な水流が確保され、逆流や封水破壊の発生を防ぐことが出来る。
【０００７】
【発明の実施の形態】
本発明を図１〜図４に示す一実施例によって説明する。
図１〜図３に示すように、二階建ての建物の排水システム（１）  において、建物床下には集合ます（２）  が設置されており、一階および二階のキッチンや洗濯機などの複数の排水設備（３Ａ，３Ｂ）  には接続継手（４）  を介して可撓管である屋内排水管（５Ａ，５Ｂ）  が接続されており、該屋内排水管（５Ａ，５Ｂ）  はそれぞれ該集合ます（２）  に直接接続されている（図１参照）。
【０００８】
該集合ます（２）  には第１連絡排水管（６）  が接続されており、該第１連絡排水管（６）  には屋外排水ます（７）  が接続されている。本実施例では、建物の基礎を貫通する基礎貫通スリーブ（８）  が設けられており、該集合ます（２）  からの第１連絡排水管（６）  は、該基礎貫通スリーブ（８）  内に挿通されて屋外排水ます（７）  に接続されている（図１参照）。
【０００９】
更に、該屋外排水ます（７）  には第２連絡排水管（９）  が接続されており、該第２連絡排水管（９）  は公共ます（１０）に接続している（図２参照）。
【００１０】
一方、一階および二階のトイレ（１１Ａ，１１Ｂ）  からの汚物排水管（１２Ａ，１２Ｂ）  は、該集合ます（２）  に接続されることなくトイレ用の屋外排水ます（１３）にそれぞれ直接接続されており、該トイレ用の屋外排水ます（１３）および屋外排水ます（７）  を介して公共ます（１０）に接続されている（図２および図３参照）。
【００１１】
建物には建物壁部に沿って管専用スペース（１４）としてのパイプスペースが設けられており、二階の複数の排水設備（３Ｂ）からの屋内排水管（５Ｂ）は該パイプスペース（１４）内に挿通されて床下へ導入され、床下の集合ます（２）  に接続されている（図１参照）。
本実施例では、該パイプスペース（１４）内に挿通された屋内排水管（５Ｂ）は、リング状の管保持具（１５）によってパイプスペース（１４）の側壁に安定に保持されている。
【００１２】
排水設備（３Ａ，３Ｂ）  と集合ます（２）  とを接続する屋内排水管（５Ａ，５Ｂ）  は前記したように可撓管であって、凹凸形状の外周面を有する外層（１６）と平滑な内周面を有する内層（１７）とからなる二層構造を有している（図６参照）。
本実施例では、該可撓管（５Ａ，５Ｂ）  の外層（１６）の材料として、硬質樹脂、例えばポリエチレン、ポリプロピレン、塩化ビニル等が使用されており、該可撓管（５Ａ，５Ｂ）  の内層（１７）の材料として、軟質樹脂、例えばポリオレフィンエラストマー、スチレン系エラストマー、軟質塩化ビニル等が使用されている。
【００１３】
図４に示すように、建物床下に設置される集合ます（２）  は、排水設備（３Ａ，３Ｂ）  からの屋内排水管（５Ａ，５Ｂ）  が接続される６個の上流側受口（１８）と、屋外排水ます（７）  への第１連絡排水管（６）  が接続される１個の下流側受口（１９）とを有しており（図２参照）、更に、該集合ます（２）  には水流ガイド（２０）付きの蓋（２１）が取付けられている。
【００１４】
このように、建物床下に設置された一つの集合ます（２）  に、他の集合ます等を介することなく、一階および二階以上の階の複数の排水設備（３Ａ，３Ｂ）  からの屋内排水管（５Ａ，５Ｂ）  を直接接続するため（図１参照）、集合ます（２）  が一つで済み、かつ、配管がコンパクトになり、配管作業が非常に容易となるとともに、部品数や工数を減らすことが出来、コストダウンをすることが可能となる。
また、従来のような接続排水管（８Ｐ）と上下接続管（６Ｐ）との接続部分（９Ｐ）がなく、更に、集合ます（２）  の蓋（２１）には水流ガイド（２０）が設けられているため、円滑な水流を確保することが出来、排水の逆流や封水破壊の発生を防ぐことが出来る。
【００１５】
上記のように、屋内排水管（５Ａ，５Ｂ）  として可撓管を用いるため、配管経路に建物内基礎（２２）などの障害物がある場合であっても、可撓管（５Ａ，５Ｂ）  を曲げることによって容易に障害物を避けることが出来、屋内排水管（５Ａ，５Ｂ）  の勾配を確保するのが容易であり、配管作業が非常に容易・簡便になる（図１および図２参照）。
【００１６】
また、屋内排水管（５Ａ，５Ｂ）  として可撓管を用いれば、可撓管（５Ａ，５Ｂ）  を曲げた部分の曲率半径を大きくすることが可能であるため、屈曲部分で水圧差が発生することがなく、円滑な水流を確保して封水破壊の発生を防ぐことが可能となり、更に、屋内排水管（５Ａ，５Ｂ）  内の点検のために点検棒を挿入した場合に、点検棒がスムースに入り、点検作業が簡便になって屋内排水管（５Ａ，５Ｂ）  の維持・管理が容易になる。更に、屋内排水管（５Ａ，５Ｂ）  である可撓管が、平滑な内層（１７）を有する二層構造を有しているため（図６参照）、該可撓管（５Ａ，５Ｂ）  内に点検棒を挿入した場合に、点検棒がスムースに入り、点検作業が更に容易になる。
【００１７】
本実施例以外、図５に示すような集合ます（２３）を使用してもよい。
図５に示す集合ます（２３）は、１個の上流側受口（２４）と、１個の下流側受口（２５）と、３個の上流側枝受口（２６）を有している。該集合ます（２３）を２個使用して配管を行なう場合には、一方の集合ます（２３）の上流側受口（２４）に他方の集合ます（２３）の下流側受口（２５）を接続して、該２個の集合ます（２３）を互いに接続し、集合ます（２３）の上流側枝受口（２６）および他方の集合ます（２３）の上流側受口（２４）に排水設備（３Ａ，３Ｂ）  からの屋内排水管（５Ａ，５Ｂ）  を接続するとともに、一方の集合ます（２３）の下流側受口（２５）に第１連絡排水管（６）  を接続する。
【００１８】
また本実施例以外、図６に示すような接続ソケット（２７）を用いて、排水設備（３）  に接続される屋内排水管（５）  と集合ます（２）  に接続される屋内排水管（５）  とを互いに接続してもよい。
図６に示す接続ソケット（２７）は、屋内排水管（５）  を挿着する円筒本体（２８）と、該円筒本体（２８）の両端に螺着されるナット部材（２９）とからなる。該接続ソケット（２７）を使用して２本の屋内排水管（５）  を接続する場合には、Ｏリング状パッキン（３０）を装着した屋内排水管（５）  を該接続ソケット（２７）の円筒本体（２８）にそれぞれ挿着した後、該屋内排水管（５）  にＣリング状ストッパー（３１）をそれぞれ装着し、その後、接続ソケット（２７）のナット部材（２９）を円筒本体（２８）に外嵌して螺着する。
【００１９】
以上、本発明の実施の形態を実施例により説明したが、本発明の範囲はこれらに限定されるものではなく、請求項に記載された範囲内において目的に応じて変更・変形することが可能である。
例えば、本実施例以外、建物が三階以上の建物であって、集合ます（２，２３）には三階以上の階の複数の排水設備（３）  から屋内排水管（５）  を接続してもよく、また、第１連絡排水管（６）  や第２連絡排水管（９）  として可撓管を用いてもよい。
【００２０】
【発明の効果】
本発明では、排水システムに使用する集合ますが一つで済み、かつ、屋内排水管の配管がコンパクトになるため、配管作業が非常に容易となるとともに、部品数や工数を減らすことが出来、コストダウンをすることが可能となり、更に、円滑な水流を確保することが出来るため、逆流や封水破壊の発生を防ぐことが可能となる。
【図面の簡単な説明】
図１〜図４は本発明の一実施例を示すものである。
【図１】排水システムの説明側面図である。
【図２】排水システム（１階）の説明平面図である。
【図３】排水システム（２階）の説明平面図である。
【図４】集合ますの説明側断面図である。
【図５】他の実施例の集合ますの説明側断面図である。
【図６】他の実施例における可撓管の接続部分の説明側断面図である。
【図７】従来例の排水システムの説明側面図である。
【図８】従来例の排水システム（１階）の説明平面図である。
【符号の説明】
１            排水システム
２，２３        集合ます
３Ａ，３Ｂ        排水設備
５Ａ，５Ｂ        屋内排水管
６            第１連絡排水管
７            屋外排水ます
９            第２連絡排水管
１０          公共ます
１４            管専用スペース（パイプスペース）
【図１】
2004211353.tif 000003
【図２】
2004211353.tif 000004
【図３】
2004211353.tif 000005
【図４】
2004211353.tif 000006
【図５】
2004211353.tif 000007
【図６】
2004211353.tif 000008
【図７】
2004211353.tif 000009
【図８】
2004211353.tif 000010